(57)【要約】【目的】飲料水用ボトルと携帯電話機とを同時に保持することができ、飲料水用ボトルを保持する必要がないときには小さく畳んでおくことができる、ボトルホルダーを提供する。【構成】ボトルホルダー１０は、携帯電話機を収容する電話機収容部Ｂを有する可動容器１４、可動容器１４を収容する容器収容部Ａを有する本体１２、可動容器１４を容器収容部Ａの内部または外部で支持するフレーム１６等によって構成される。フレーム１６によって可動容器１４を容器収容部Ａの外部で支持すると、容器収容部Ａと可動容器１４の外壁とが協働することによってボトル収容部Ｄが構成される。【選択図】              図７
2004249839.tif 000002
【特許請求の範囲】
【請求項１】
携帯電話機を収容する電話機収容部を有する可動容器、
前記可動容器を収容する容器収容部を有する本体、および
前記本体に対して回動自在に接続された第１接続部と前記可動容器に対して回動自在に接続された第２接続部とを有し、前記可動容器を前記容器収容部の内部または外部で支持するフレームを備え、
前記フレームによって前記可動容器を前記容器収容部の外部で支持したとき、前記容器収容部が飲料水用ボトルを収容するボトル収容部として機能する、ボトルホルダー。
【請求項２】
前記フレームによって前記可動容器を前記容器収容部の外部で支持したとき、前記容器収容部と前記可動容器の外壁とが協働して前記ボトル収容部を構成する、請求項１に記載のボトルホルダー。
【発明の詳細な説明】
【０００１】
【産業上の利用分野】
この発明は、携帯電話機を保持する機能を有する飲料水用のボトルホルダーに関する。
【０００２】
【従来の技術】
乗物（自動車，列車または航空機等）や劇場等の座席周り等においては、ボトルホルダーを用いて飲料水用ボトルを保持することが一般に行われているが、このボトルホルダーが携帯電話機を保持する機能を併有していれば便利である。
【０００３】
このような発想から、従来では、ボトルホルダーに携帯電話機用ホルダーを装着し、この携帯電話機用ホルダーによって携帯電話機を保持するようにした技術が提案されている（特許文献１）。
【０００４】
【特許文献１】
特開平１０−１９０８００号
【０００５】
【発明が解決しようとする課題】
しかし、従来技術（特許文献１）では、飲料水用ボトルを収容するボトル収容部に携帯電話機用ホルダーを装着していたので、飲料水用ボトルと携帯電話機とを同時に保持することができないという問題があった。
【０００６】
この問題を解決する手段として、ボトル収容部とは別に、携帯電話機を収容する電話機収容部を設けることが考えられるが、その場合には、全体サイズが大きくなり過ぎるという問題を生じるおそれがあった。
【０００７】
それゆえに、この発明の主たる目的は、飲料水用ボトルと携帯電話機とを同時に保持することができ、飲料水用ボトルを保持する必要がないときには小さく畳んでおくことができる、ボトルホルダーを提供することである。
【０００８】
【課題を解決するための手段】
請求項１に記載した発明は、「携帯電話機を収容する電話機収容部Ｂを有する可動容器１４、可動容器１４を収容する容器収容部Ａを有する本体１２、および本体１２に対して回動自在に接続された第１接続部４８と可動容器１４に対して回動自在に接続された第２接続部５０とを有し、可動容器１４を容器収容部Ａの内部または外部で支持するフレーム１６を備え、フレーム１６によって可動容器１４を容器収容部Ａの外部で支持したとき、容器収容部Ａが飲料水用ボトルを収容するボトル収容部Ｄとして機能する、ボトルホルダー１０」である。
【０００９】
この発明では、可動容器１４を容器収容部Ａの外部で支持することによって、容器収容部Ａをボトル収容部Ｄとして機能させることができる。
【００１０】
請求項２に記載した発明は、請求項１に記載した発明において、「フレーム１６によって可動容器１４を容器収容部Ａの外部で支持したとき、容器収容部Ａと可動容器１４の外壁とが協働してボトル収容部Ｄを構成する」ことを特徴とする。
【００１１】
この発明では、容器収容部Ａと可動容器１４の外壁とが協働してボトル収容部Ｄを構成するので、ボトル収容部Ｄにおいて飲料水用ボトルを確実に保持できる。
【００１２】
【発明の実施の形態】
図１〜図３を参照して、この発明が適用されたボトルホルダー１０は、飲料水用ボトルと携帯電話機とを同時に保持できるように構成されたものであり、本体１２，可動容器１４，フレーム１６，スペーサ１８，２つのスライド収容部２０によって構成される。
【００１３】
本体１２は、図３に示すように、底板２２，２枚の側板２４，天板２６および背板２８（図２）によって、前面，上面前部および背面下部が開放された略箱状に形成され、本体１２の内部空間が可動容器１４を収容する容器収容部Ａとなる。
【００１４】
そして、底板２２の下面および背板２８の背面には、図２に示すように、それぞれ２本のガイドレール３０および３２が幅方向へ延びて平行に形成される。また、天板２６の前端部には、飲料水用ボトルの側面を支持する円弧状の支持部２６ａが形成される。さらに、２枚の側板２４の互いに対向する面には、回動軸３８が突設され、背板２８には、図示しない固定冶具（ボルトまたはフック部材等）を取り付けるための取付孔２８ａ（図２）が形成される。
【００１５】
可動容器１４は、図２および図３に示すように、上面が開口された略箱状の容器本体４０を含み、容器本体４０の内部空間が携帯電話機を収容する電話機収容部Ｂとなる。そして、容器本体４０における背面上部の幅方向両端部には、軸受孔４２ａを有する軸受部４２が形成され、背面下部の幅方向中央部には、所定長さの当接支持部４４が形成される。
【００１６】
フレーム１６は、図３に示すように、略Ｌ字状に屈曲された２つの支持部１６ａの上側端部どうしをスペーサ取付部１６ｂで連結し、かつ、下側端部どうしを連結部１６ｃで連結した構造を有し、各支持部１６ａの角部内側には、軸受孔４８ａを有する板状の第１接続部４８が形成され、各支持部１６ａの上側端部には、図５に示すように、回動軸５０ａを有する第２接続部５０が形成され、スペーサ取付部１６ｂの幅方向両端部には、軸受孔５２ａを有する軸受部５２が形成される。
【００１７】
スペーサ１８は、図３に示すように、容器収容部Ａに収容される小径ボトル（細缶等）を支持するものであり、略四角形の板状のスペーサ本体１８ａを含む。スペーサ本体１８ａの一辺は円弧状に湾曲された支持辺１８ｂとされ、支持辺１８ｂと対向する辺は真直ぐな取付辺１８ｃとされる。そして、支持辺１８ｂおよび取付辺１８ｃを挟む２つの側辺１８ｄにおける取付辺１８ｃの近傍には、回動軸５４が形成される。
【００１８】
ボトルホルダー１０を組み立てる際には、図５に示すように、スペーサ１８の各回動軸５４がフレーム１６の各軸受孔５２ａに回動自在に嵌め込まれ、可動容器１４の各軸受孔４２ａがフレーム１６の各回動軸５０ａに回動自在に嵌め込まれる。そして、図４に示すように、フレーム１６の各軸受孔４８ａが本体１２の各回動軸３８に嵌め込まれる。
【００１９】
各スライド収容部２０は、図３に示すように、側板５６，底板５８，２つの背棒６０および前板６２によって、本体１２側の側面が開放された略箱状に形成され、各スライド収容部２０の内部空間が小物を収容する収容部Ｃとなる。
【００２０】
底板５８は、複数の分割片からなり、分割片の一つは他の分割片よりも長めに形成される。そして、長めに形成された分割片５８ａが本体１２のガイドレール３０に対して摺動自在に嵌め込まれ、各背棒６０が本体１２のガイドレール３２に対して摺動自在に嵌め込まれる。
【００２１】
前板６２は、図６に示すように、ヒンジ部６４を介して側板５６の内側面に取り付けられ、ばね６６によって側板５６から離間する方向へ押圧される。したがって、スライド収容部２０を引き出すと、ばね６６の押圧力によって前板６２が側板５６と直交する位置まで開かれ、収容部Ｃが構成される。一方、スライド収容部２０を押し込むと、ばね６６の押圧力に抗して前板６２が側板５６と接する位置まで閉じられる。
【００２２】
ボトルホルダー１０を使用する際には、まず、本体１２の取付孔２８ａ（図２）に図示しない固定冶具を装着し、この固定冶具を用いて本体１２を固定対象物（自動車の室内設備等）に固定する。そして、飲料水用ボトルを保持する必要のないときには、図２に示すように、フレーム１６によって可動容器１４を容器収容部Ａの内部で支持し、飲料水用ボトルを保持する必要のあるときには、図７に示すように、フレーム１６を回動させることによって可動容器１４を容器収容部Ａの外部で支持する。
【００２３】
可動容器１４を容器収容部Ａの内部から外部へ移動させるときには、図８に示すように、フレーム１６を回動させながら可動容器１４を前方へ引き出す。そして、図９に示すように、フレーム１６の端部を本体１２の底面に当接させてフレーム１６の回動を抑止するとともに、当接支持部４４を本体１２の側縁に当接させて可動容器１４を支持する。
【００２４】
この状態において、可動容器１４は、本体１２の前端部から所定間隔を隔てた位置で支持されることとなり、本体１２の容器収容部Ａと可動容器１４の外壁とが協働することによって、容器収容部Ａよりも大きいボトル収容部Ｄが構成される。ボトル収容部Ｄのサイズは、設計変更の際に、可動容器１４の支持位置を変えることによって変更可能であり、可動容器１４の支持位置は、本体１２における回動軸３８（図３，図４）の位置や、フレーム１６における軸受孔４８ａ（図３，図４）と回動軸５０ａ（図５）との間隔を変えること等によって変更可能である。
【００２５】
ボトル収容部Ｄのサイズは、そこに収容しようとする各種ボトルの中で最も大径のものに合わせて設定される。したがって、ボトル収容部Ｄに小径ボトルを収容した場合には、小径ボトルの外周面とボトル収容部Ｄの内周面との間に隙間が生じ、小径ボトルが転倒するおそれがある。このような場合には、図９に示すように、スペーサ１８を回動させることによって、スペーサ１８の支持辺１８ｂで小径ボトルを支持するようにする。
【００２６】
【発明の効果】
請求項１および２に記載した発明によれば、可動容器１４を容器収容部Ａの外部で支持することによって、携帯電話機と飲料水用ボトルとを同時に保持することができる。また、可動容器１４を容器収容部Ａの内部で支持することによって全体サイズを小さくすることができ、その状態でも可動容器１４で携帯電話機を保持することができる。
【００２７】
請求項２に記載した発明によれば、可動容器１４の支持位置を適切に設定することによって、飲料水用ボトルを収容するのに適したサイズのボトル収容部Ｄを確保できる。
【図面の簡単な説明】
【図１】本発明が適用されたボトルホルダーを示す斜視図である。
【図２】ボトルホルダーを示す断面図である。
【図３】ボトルホルダーを示す分解斜視図である。
【図４】ボトルホルダーを示す一部分解斜視図である。
【図５】図４におけるＶ−Ｖ線断面図である。
【図６】スライド収容部における前板の取付構造を示す分解斜視図である。
【図７】可動容器を容器収容部の外部で支持した状態を示す斜視図である。
【図８】可動容器を容器収容部の内部から外部へ移動させる状態を示す断面図である。
【図９】可動容器を容器収容部の外部で支持した状態を示す断面図である。
【符号の説明】
Ａ…  容器収容部
Ｂ…  電話機収容部
１０…  ボトルホルダー
１２…  本体
１４…  可動容器
１６…  フレーム
１８…  スペーサ
２０…  スライド収容部
３０，３２…  ガイドレール
４４…  当接支持部
４８…  第１接続部
５０…  第２接続部
６２…  前板
【図１】
2004249839.tif 000003
【図２】
2004249839.tif 000004
【図３】
2004249839.tif 000005
【図４】
2004249839.tif 000006
【図５】
2004249839.tif 000007
【図６】
2004249839.tif 000008
【図７】
2004249839.tif 000009
【図８】
2004249839.tif 000010
【図９】
2004249839.tif 000011